(57)【要約】【課題】患者個人の医療データを記録した記録媒体を再生し、医療データを当該記録媒体に記録することができる情報処理装置、およびその情報処理方法を提供すること。【解決手段】医療データは光ディスク２０のＲＥ層に記録されており、当該医療データを再生する時には、制御部１１が光ディスク２０のＲＯＭ層に記録された再生用ソフトを起動し、再生用ソフトが光ディスク２０に記録された医療データを読み出す。再生用ソフトが読み出した医療データは画像表示装置１７または音声再生装置１８に出力されて再生される。一方、光ディスク２０に医療データを記録する時には、制御部１１がＲＯＭ層に記録された記録用ソフトを起動し、記録用ソフトが光ディスク２０に医療データを記録する。記録する医療データは、記録再生装置１０に接続された医療機器１２から医療機器Ｉ／Ｆ１６を介して取得することができる。【選択図】図１
2011175484.tif 000002
【特許請求の範囲】
【請求項１】
医療情報データを格納している医療機器を少なくとも１つ接続可能な接続部と、
再生専用領域と記録可能領域との両方を有し、上記記録可能領域に医療情報データを格納しており、当該記録可能領域に格納されている上記医療情報データを読み出す再生用ソフトと、上記接続部を介して上記医療機器に格納されている上記医療情報データを読み出し、当該医療情報データを上記記録可能領域に書き込む記録用ソフトとを上記再生専用領域に格納している光記録媒体から、上記再生用ソフトまたは上記記録用ソフトを起動する制御部と、
上記再生用ソフトが読み出した上記医療情報データを再生する再生部とを備えていることを特徴とする情報処理装置。
【請求項２】
上記再生専用領域には、異なるオペレーティングシステムに対応する複数の上記再生用ソフトおよび複数の上記記録用ソフトがそれぞれ格納されており、
上記制御部は、上記複数の再生用ソフトおよび上記複数の記録用ソフトのうち、情報処理装置のオペレーティングシステムに対応する上記再生用ソフトまたは上記記録用ソフトを起動することを特徴とする請求項１に記載の情報処理装置。
【請求項３】
上記再生専用領域には、オペレーティングシステムがさらに格納されており、当該再生専用領域に格納されている上記再生用ソフトおよび上記記録用ソフトはそれぞれ上記オペレーティングシステムに対応しており、
上記制御部は、上記オペレーティングシステムを起動した上で上記再生用ソフトまたは上記記録用ソフトを起動することを特徴とする請求項１に記載の情報処理装置。
【請求項４】
上記医療情報データは、画像データ、音声データ、および文字データのうち、いずれかのデータであることを特徴とする請求項１〜３のいずれか１項に記載の情報処理装置。
【請求項５】
再生専用領域と記録可能領域との両方を有し、上記記録可能領域に医療情報データを格納しており、当該記録可能領域に格納されている上記医療情報データを読み出す再生用ソフトを上記再生専用領域に格納している光記録媒体から、上記再生用ソフトを起動する制御部と、
上記再生用ソフトが読み出した上記医療情報データを再生する再生部とを備えていることを特徴とする情報処理装置。
【請求項６】
請求項１に記載の情報処理装置の情報処理方法であって、
上記記録可能領域に格納されている上記医療情報データを再生する時には、
上記制御部が、上記再生用ソフトを起動するステップと、
上記再生用ソフトが、上記記録可能領域に格納されている上記医療情報データを上記再生部に出力するステップと、
上記再生部が、上記再生用ソフトが読み出した上記医療情報データを再生するステップとを備え、
上記医療機器が格納している医療情報データを上記記録可能領域に記録する時には、
上記制御部が、上記記録用ソフトを起動するステップと、
上記記録用ソフトが、上記接続部を介して上記医療機器に格納されている上記医療情報データを読み出し、当該医療情報データを上記記録可能領域に記録するステップとを備えていることを特徴とする情報処理方法。
【請求項７】
請求項１〜５のいずれか１項に記載の情報処理装置を動作させるプログラムであって、コンピュータを上記の各部として機能させるためのプログラム。
【請求項８】
請求項７に記載のプログラムを記録しているコンピュータ読み取り可能な記録媒体。
【請求項９】
再生専用領域と記録可能領域との両方を有し、上記記録可能領域に医療情報データを格納しており、当該記録可能領域に格納されている上記医療情報データを読み出す再生用ソフトと、当該記録可能領域に新たな医療情報データを上記記録可能領域に書き込む記録用ソフトとを上記再生専用領域に格納していることを特徴とする光記録媒体。
【発明の詳細な説明】
【技術分野】
【０００１】
本発明は、医療データを光記録媒体に記録、または光記録媒体に記録された医療データを再生する情報処理装置、およびその情報処理方法、ならびに情報処理装置のプログラム、コンピュータ読み取り可能な記録媒体、および光記録媒体に関する。
【背景技術】
【０００２】
近年では、医療技術の進歩に伴い、患者の病態を把握するための多様な検査機器が開発されている。具体的には、Ｘ線撮影、磁気共鳴映像（ＭＲＩ）検査、コンピュータ断層撮影（ＣＴ）検査、または心電図測定等である。得られる検査結果のデータは年々増加し、その膨大なデータの効率的な管理が急務となっている。さらに、医師による患者の診療記録（カルテ）も膨大な量に達しており、その効率的な管理が望まれる。
【０００３】
そこで、最近では、各種検査結果のデータをデジタルデータとしてコンピュータに蓄積して記憶する場合が増えつつある。また、患者個人のカルテも、電子データ化して記録する例が増えている。これらのデータを、患者ごとに一元化して管理することによって、患者ごとの医療データを迅速に、なおかつ有効的に活用することができる。
【０００４】
しかしながら、検査を受けた病院とは別の病院で診療してもらったり、別の病院に転院したりする際には、患者の検査結果等の医療データを印刷した上で郵送する等の必要があり、時間がかかってしまっていた。さらに、検査結果を印刷する場合には、印刷した検査データを途中で紛失してしまう等の危険性があった。また、場合によっては、新たな受診先の病院、または転院先の病院で検査の受け直しが必要であった。
【０００５】
そこで、最近ではさらなる利便性を追求した医療システムが開発されている。例えば、特許文献１には、患者の医療情報を光カードに記録する医療システムが開示されている。具体的には、患者個人ごとの医療情報を記録する記録媒体として、光カードを使用している。これによって、患者個人ごとに、その病態に応じて必要な医療情報を任意に記録することができる。したがって、患者が自身の医療情報が記録された光カードを携帯することによって、医師はその光カードを読み取り手段にセットするだけでその患者個人の医療情報を読み取ることができる。また、患者は、自分の病態に応じた医療情報が記録してある光カードを新規の病院に持参し、本システムの読み取り手段にセットするだけで自分の病態を医師に伝えることができる。このように、新規の病院で診療を受けたり、新規の病院に転院したりする場合でも、患者個人の医療情報を容易に取得することができる。
【０００６】
また、特許文献２には、患者個人ごとの医療情報を、ネットワークを介してサーバ上に記録する医療システムが開示されている。具体的には、本システムでは、各医療機器をネットワークで接続するのに、専用のインターフェース機器とＩＤ情報読取装置とを各医療機器に備えており、医療機器特有のデータ等でも高速かつ正確に通信できる。検査終了後に患者が自身のＩＤカードをＩＤ情報読取装置に挿入すると、検査データはサーバに転送され、保存される。そして、ドクターステーション部のＩＤ情報読取装置に患者のＩＤカードを挿入すると、ＩＤ情報に対応した検査データがサーバから取得され、ドクターステーション部のモニタ画面に表示される。これによって、本システムを導入している他の医療機関でも利用することができる。すなわち、新規の病院で診療を受けたり、新規の病院に転院したりする場合でも、患者個人の医療情報を容易に取得することができる。
【先行技術文献】
【特許文献】
【０００７】
【特許文献１】特開平６−３０９３３９号公報（１９９４年１１月４日公開）
【特許文献２】特開平７−１９４５５９号公報（１９９５年８月１日公開）
【発明の概要】
【発明が解決しようとする課題】
【０００８】
しかしながら、上記した２つの特許文献に開示されている医療システムでは、複数の病院間で患者の医療情報を共有し難い。
【０００９】
具体的には、特許文献１に開示されている医療システムでは、光カードに記録された医療情報を、同一の医療システムでしか記録したり、表示したりすることができない。すなわち、当該医療システムを有していなかったり、異なる医療システムを採用していたりする場合には、患者個人の医療情報を閲覧することができない。したがって、同一の医療システムを持っていなければ、医療情報を共有し合うことがきない。
【００１０】
また、特許文献２に開示されている医療システムでは、ネットワークに接続されていない病院では、医療情報を閲覧することができない。さらに、異なる医療システムを採用している病院で当該医療情報を閲覧しようとした際には、医療情報のデータ形式の変換が必要となったり、閲覧すること自体が不可能であったりする虞がある。
【００１１】
そこで、本発明は上記課題に鑑みてなされたものであり、その目的は、各病院が採用している医療システムに拘らず、患者個人の医療データを記録した記録媒体を再生し、医療データを当該記録媒体に記録することができる情報処理装置、およびその情報処理方法、ならびに情報処理装置のプログラム、コンピュータ読み取り可能な記録媒体、および光記録媒体を提供することにある。
【課題を解決するための手段】
【００１２】
本発明に係る情報処理装置は、上記課題を解決するために、医療情報データを格納している医療機器を少なくとも１つ接続可能な接続部と、再生専用領域と記録可能領域との両方を有し、上記記録可能領域に医療情報データを格納しており、当該記録可能領域に格納されている上記医療情報データを読み出す再生用ソフトと、上記接続部を介して上記医療機器に格納されている上記医療情報データを読み出し、当該医療情報データを上記記録可能領域に書き込む記録用ソフトとを上記再生専用領域に格納している光記録媒体から、上記再生用ソフトまたは上記記録用ソフトを起動する制御部と、上記再生用ソフトが読み出した上記医療情報データを再生する再生部とを備えていることを特徴としている。
【００１３】
上記の構成によれば、光記録媒体に記録した医療情報データを再生したり、光記録媒体に医療情報データを記録したりすることができる。具体的には、医療情報データは光記録媒体の記録可能領域に記録されており、当該医療情報データを再生する時には、制御部が光記録媒体の再生専用領域に記録された再生用ソフトを起動し、当該再生用ソフトが光記録媒体に記録された医療情報データを読み出す。再生用ソフトが読み出した医療情報データは再生部に出力され、再生部によって当該医療情報データは再生される。
【００１４】
一方、光記録媒体に医療情報データを記録する時には、制御部が光記録媒体の再生専用領域に記録された記録用ソフトを起動して、当該記録用ソフトが光記録媒体に医療情報データを記録する。記録する医療情報データは、情報処理装置に接続された医療機器から接続部を介して取得することができる。
【００１５】
これによれば、光記録媒体に記録されている再生用ソフト、または記録用ソフトを用いて、医療情報データの再生または記録を行うことができる。すなわち、光記録媒体に患者個人の医療情報データと、当該医療情報データを記録または再生するソフトとが一括して記録されているので、光記録媒体だけで患者の医療情報データを管理することができる。これによれば、患者が自身の医療情報データを記録した光記録媒体を病院に持参するだけで、患者の医療情報データを適宜追加記録することができる。よって、患者が複数の病院に掛かっていても、複数の病院で受けた検査の結果等の医療情報データを光記録媒体に一元管理することができる。
【００１６】
また、患者が新規の病院で受診したり、新規の病院に転院したりする場合でも、受診先の病院または転院先の病院に光記録媒体を持参し、当該光記録媒体の情報を読み取るだけで患者の医療情報データを容易に閲覧することができる。
【００１７】
また、本発明に係る情報処理装置においては、上記再生専用領域には、異なるオペレーティングシステムに対応する複数の上記再生用ソフトおよび複数の上記記録用ソフトがそれぞれ格納されており、上記制御部は、上記複数の再生用ソフトおよび上記複数の記録用ソフトのうち、情報処理装置のオペレーティングシステムに対応する上記再生用ソフトまたは上記記録用ソフトを起動することを特徴としている。
【００１８】
上記の構成によれば自身が所有する情報処理装置のオペレーティングシステムに対応した再生用ソフトまたは記録用ソフトを使用して光記録媒体の再生または記録を行うことができる。そのため、病院ごとに使用している情報処理装置のオペレーティングシステムが異なっていても、容易に患者の医療情報データを共有することができる。
【００１９】
また、本発明に係る情報処理装置においては、上記再生専用領域には、オペレーティングシステムがさらに格納されており、当該再生専用領域に格納されている上記再生用ソフトおよび上記記録用ソフトはそれぞれ上記オペレーティングシステムに対応しており、上記制御部は、上記オペレーティングシステムを起動した上で上記再生用ソフトまたは上記記録用ソフトを起動することを特徴としている。
【００２０】
上記の構成によれば、光記録媒体の再生専用領域に予めオペレーティングシステムを記録しておけば、当該オペレーティングシステムを起動した上で再生用ソフトまたは記録用ソフトを起動することができる。したがって、異なるオペレーティングシステムに対応した複数の再生用ソフトまたは記録用ソフトを記録しておき、情報処理装置のオペレーティングシステムに対応したソフトを選択して起動しなくても、光記録媒体に記録されたオペレーティングシステムを起動してすぐに再生用ソフトまたは記録用ソフトを起動することができる。これによれば、同一のオペレーティングシステムを使用して光記録媒体の再生および記録を行うので、病院間において、より統一的な使用環境を実現することが可能となる。
【００２１】
また、本発明に係る情報処理装置においては、上記医療情報データは、画像データ、音声データ、および文字データのうち、いずれかのデータであることを特徴としている。
【００２２】
上記の構成によれば、光記録媒体には、患者の医療情報データとして、Ｘ線画像、ＭＲＩ画像、またはＣＴ画像等の診断用画像データ、心臓音または呼吸音等の診断用音声データ、医師が記録した診療記録（カルテ）、投薬履歴、またはアレルギー情報等の文字情報をデジタルデータ化したデータ等、各種のデータを一元化して記録することができる。
【００２３】
また、本発明に係る情報処理装置においては、再生専用領域と記録可能領域との両方を有し、上記記録可能領域に医療情報データを格納しており、当該記録可能領域に格納されている上記医療情報データを読み出す再生用ソフトを上記再生専用領域に格納している光記録媒体から、上記再生用ソフトを読み出して起動する制御部と、上記再生用ソフトが読み出した上記医療情報データを再生する再生部とを備えていることを特徴としている。
【００２４】
上記の構成によれば、光記録媒体に記録した医療情報データを再生することができる。具体的には、光記録媒体の記録可能領域に記録された医療情報データを再生する時には、制御部が光記録媒体の再生専用領域に記録された再生用ソフトを起動して、当該再生用ソフトが光記録媒体に記録された医療情報データを読み出す。再生用ソフトが読み出した医療情報データは再生部に出力され、再生部によって当該医療情報データは再生される。
【００２５】
以上の構成は、患者が自分の家で自分の医療情報データを閲覧する場合、または病院において患者の医療情報データを閲覧することのみを目的とした場合等に適用することができる。
【００２６】
また、本発明に係る情報処理装置の情報処理方法は、上記課題を解決するために、上述した情報処理装置の情報処理方法であって、上記記録可能領域に格納されている上記医療情報データを再生する時には、上記制御部が、上記再生用ソフトを起動するステップと、上記再生用ソフトが、上記記録可能領域に格納されている上記医療情報データを上記再生部に出力するステップと、上記再生部が、上記再生用ソフトが読み出した上記医療情報データを再生するステップとを備え、上記医療機器が格納している医療情報データを上記記録可能領域に記録する時には、上記制御部が、上記記録用ソフトを起動するステップと、上記記録用ソフトが、上記接続部を介して上記医療機器に格納されている上記医療情報データを読み出し、当該医療情報データを上記記録可能領域に記録するステップとを備えていることを特徴としている。
【００２７】
上記の方法によれば、光記録媒体に記録した各種医療情報データを読み出して再生し、各種医療機器から出力される医療情報データを取り込み、光記録媒体に記録して、患者個人の医療情報データを一元化して管理することができる情報処理方法が得られる。
【００２８】
なお、上述した情報処理装置は、コンピュータによって実現してもよく、この場合には、コンピュータを上記各部として動作させることにより上記情報処理装置をコンピュータにて実現させるプログラム、およびそれを記録したコンピュータ読み取り可能な記録媒体も、本発明の範疇に入る。
【００２９】
また、本発明に係る光記録媒体は、上記課題を解決するために、再生専用領域と記録可能領域との両方を有し、上記記録可能領域に医療情報データを格納しており、当該記録可能領域に格納されている上記医療情報データを読み出す再生用ソフトと、上記接続部を介して上記医療機器に格納されている上記医療情報データを読み出し、当該医療情報データを上記記録可能領域に書き込む記録用ソフトとを上記再生専用領域に格納していることを特徴としている。
【００３０】
上記の構成によれば、患者の医療情報データを再生したり、記録したりするソフトが記録されているため、上記光記録媒体を情報処理装置で読み取るだけで、患者の医療情報データを再生したり、記録したりする作業を行うことができる。したがって、上記光記録媒体によって、患者の医療情報データを一元化して管理することができる。
【発明の効果】
【００３１】
本発明に係る情報処理装置では、光記録媒体に記録されている再生用ソフト、または記録用ソフトを用いて、医療情報データの再生または記録を行うことができる。すなわち、光記録媒体に患者個人の医療情報データと、当該医療情報データを再生または記録するソフトとが一括して記録されているので、光記録媒体だけで患者の医療情報データを管理することができる。これによれば、患者が自身の医療情報データを記録した光記録媒体を病院に持参するだけで、患者の医療情報データを適宜追加記録することができる。よって、患者が複数の病院に掛かっていても、複数の病院で受けた検査の結果等の医療情報データを光記録媒体に一元管理することができる。
【図面の簡単な説明】
【００３２】
【図１】本発明の一実施形態に係る記録再生装置の要部構成を示す図である。
【図２】本発明の一実施形態に係る光ディスクの構成を示す図である。
【図３】本発明の一実施形態に係る再生装置の要部構成を示す図である。
【発明を実施するための形態】
【００３３】
以下、本発明の実施の形態について、図面を参照して詳細に説明する。
【００３４】
（記録再生装置１０の構成）
まずは、本実施形態に係る情報処理装置の要部構成を図１に示す。図１には、本実施形態に係る情報処理装置としての記録再生装置１０の要部構成を示している。記録再生装置１０は、制御部１１、ディスクドライブ部１３、作業用メモリ１４、不揮発性メモリ１５、医療機器Ｉ／Ｆ１６、画像表示装置（再生部）１７、および音声再生装置（再生部）１８を備えている。記録再生装置１０は、ＢＤ（Blu-ray Disc）またはＤＶＤ（Digital Versatile Disc）等の光ディスク２０に対して情報の記録または再生を行う装置である。
【００３５】
制御部１１は、ＣＰＵ（Central Processing Unit）を含むものであり、記録再生装置１０の全体を制御する手段である。
【００３６】
画像表示装置１７は、液晶ディスプレイまたは有機エレクトロルミネッセンスディスプレイ等の画像表示手段であり、制御部１１から送られてくる画像データを表示する。また、音声再生装置１８は、スピーカ等の音声再生手段であり、制御部１１から送られてくる音声データを再生する。
【００３７】
ディスクドライブ部１３は、図示しないディスク挿入口に挿入された光ディスク２０を駆動可能であり、当該光ディスク２０に対してデータの読み出しおよび書き込みを行う。
【００３８】
作業用メモリ１４は、制御部１１が処理を行う際に用いられるメモリであり、ＤＲＡＭ（Dynamic Random Access Memory）等が用いられる。不揮発性メモリ１５は、制御部１１における制御プログラム等を格納するメモリであり、ＦＬＡＳＨメモリ等が用いられる。
【００３９】
また、記録再生装置１０では、医療機器Ｉ／Ｆ（接続部）１６を介して、各種の医療機器１２と接続可能となっている。医療機器１２とは、例えば、Ｘ線撮影機、磁気共鳴映像（ＭＲＩ）検査機、コンピュータ断層撮影（ＣＴ）検査機、または心電図測定器等である。これらの医療機器から、画像データまたは音声データを取り込むことが可能となっている。
【００４０】
上述したように、本実施形態においては、光ディスク（光記録媒体）２０に対して情報の記録または再生を行う。光ディスク２０の詳細を図２に示す。図２は、光ディスク２０の構成を示す図である。
【００４１】
図２に示すように、光ディスク２０は、書き換え不可能な領域、すなわち再生専用領域（以下、「ＲＯＭ（Read Only Memory）層」という）と、書き換え可能な領域、すなわち記録可能領域（以下、「ＲＥ（RE-writable）層」という）とを両方備えたハイブリッドディスクである。なお、光ディスク２０において適用される記録媒体システムは特に限定されず、例えば、ＢＤシステムであっても良く、ＤＶＤシステムであっても良い。
【００４２】
本実施形態に係る光ディスク２０においては、例えば、Ｘ線画像、ＭＲＩ画像、またはＣＴ画像等の診断用画像データ、心臓音または呼吸音等の診断用音声データ、医師が記録した診療記録（カルテ）、投薬履歴、またはアレルギー情報等の文字情報をデジタルデータ化した文字データ等の医療データ（医療情報データ）がＲＥ層に記録される。具体的には、ＲＥ層に記録されている医療データとは、光ディスク２０の所有者（患者）自身の医療データであり、光ディスク２０には当該所有者の各種医療データが一元化して記録されている。
【００４３】
一方、ＲＯＭ層には、例えば、ＲＥ層に記録されている各種医療データを読み込むための再生用ソフト、またはＲＥ層に新たな医療データを書き込むための記録用ソフト等のアプリケーションソフトが記録されている。このようなアプリケーションソフトは、ＲＯＭ層に記録されているため、ユーザによって誤って削除されたり、書き換えられたりする心配はない。
【００４４】
（記録再生装置１０の再生処理）
以下では、記録再生装置１０に挿入した光ディスク２０を記録および再生する処理について説明する。
【００４５】
まず、光ディスク２０がディスクドライブ部１３に挿入されると、揮発性メモリ１５に記録されたＢＩＯＳ（Basic Input Output System）によってディスクドライブ部１３が起動される。ディスクドライブ部１３が起動すると、制御部１１が光ディスク２０のＲＯＭ層に予め記録されている情報を読み込み、その情報を作業用メモリ１４に一時的に記録する。ＲＯＭ層に予め記録されている情報とは、具体的には、ＲＥ層に記録されている情報を読み込むための再生用ソフト、またはＲＥ層に新たに情報を書き込むための記録用ソフト等のアプリケーションソフトである。作業用メモリ１４へのＲＯＭ層に予め記録されているアプリケーションソフトの記録が終了すると、制御部１１は作業用メモリ１４に記録したアプリケーションソフトを起動させる。
【００４６】
再生用ソフトを用いて光ディスク２０のＲＥ層に記録されている情報を再生する処理を具体的に説明する。まず、作業用メモリ１４へのＲＯＭ層に予め記録されているアプリケーションソフトの記録が終了すると、制御部１１は作業用メモリ１４に記録した再生用ソフトを起動する。この際、光ディスク２０のＲＯＭ層には、異なるオペレーティングシステム（ＯＳ；Operating System）に対応した複数の再生用ソフトおよび記録用ソフトがそれぞれ記録されている。これによれば、ユーザが使用している記録再生装置１０のＯＳに対応したソフトを使用すれば、問題なく光ディスク２０の情報を読み込むことができるし、当該光ディスク２０に情報を書き込むことができる。すなわち、ユーザが使用している記録再生装置１０のＯＳのタイプに拘らず、光ディスク２０の記録または再生を行うことができる。
【００４７】
なお、作業用メモリ１４へのＲＯＭ層に予め記録されているアプリケーションソフトの記録が終了した時点で画像表示装置１７に、当該アプリケーションソフトをアイコン等で表示する構成にすると良い。画像表示装置１７に表示されたアプリケーションソフトのアイコンの中から、ユーザが自身の記録再生装置１０のＯＳに適合するソフトのアイコンを選択することによって、当該ソフトを起動することができる。このようにすれば、光ディスク２０の情報を読み込むのか、あるいは光ディスク２０に情報を書き込むのかをユーザが選択することができる。この際、各アプリケーションソフト（あるいは各アイコン）に、当該アプリケーションソフトが対応しているＯＳを同定できるような名称をつけても良い。これによって、ユーザはアプリケーションソフトの名称によって、当該アプリケーションソフトがいずれのＯＳに対応しているのかを同定することができる。ここで、起動するアプリケーションソフトをユーザが選択する場合には、記録再生装置１０には、上記選択のためのユーザインターフェースを備える必要がある。
【００４８】
あるいは、光ディスク２０のＲＯＭ層に、アプリケーションソフトと、当該アプリケーションソフトに適合するＯＳとの対応表を予め記録しておいても良い。これによれば、上記対応表を画像表示装置１７に表示し、ユーザが当該対応表を閲覧することによって、記録再生装置１０のＯＳに適合するアプリケーションソフトを同定する構成にすることができる。
【００４９】
さて、制御部１１が再生用ソフトを起動すると、ユーザは再生用ソフトを介して光ディスク２０のＲＥ層に記録されている情報を読み込むことができる。上述したように、ＲＥ層には、患者個人の医療データが記録されている。医療データとは、具体的には、Ｘ線撮影機、ＭＲＩ検査機、またはＣＴ検査機等で撮影した高精細な２次元または３次元画像データ、胃カメラまたは内視鏡等で撮影した動画データ、心臓音または呼吸音等の音声データ、心電図または脳波等のグラフデータ、血液検査結果または血圧等の数値（表）データ、カルテ、投薬履歴、アレルギーの有無、既往歴、または親族の病歴等の文書をデジタルデータ化したデータ等、患者の診療・治療に必要なデータである。なお、ＲＥ層に記録することができるデータは上記したものに限らず、例えば、患者の担当医師が別の病院を紹介する際の紹介状のデータ、または複数の医師の間で情報を共有するためのデータ等もＲＥ層に記録することが可能である。すなわち、デジタルデータ化することが可能な情報（データ）であれば、光ディスク２０のＲＥ層に記憶でき得る。
【００５０】
例えば、ユーザが再生用ソフト上でＸ線画像を表示する操作（指示）を行うと、その指示に基づいて、再生用ソフトは光ディスク２０のＲＥ層からＸ線画像データを読み込み、読み込んだＸ線画像データを画像表示装置１７に出力する。画像表示装置１７では、送られてきたＸ線画像データを表示する。このようにして、ユーザが再生用ソフト上で操作をすることによって、各種医療データを閲覧することができる。
【００５１】
心臓音等の音声データを再生する場合も同様であり、ユーザが再生用ソフト上で心臓音を再生する操作（指示）を行うと、その指示に基づいて、再生用ソフトが光ディスク２０のＲＥ層から心臓音の音声データを読み込み、読み込んだ音声データを音声再生装置１８に出力する。音声再生装置１８では、送られてきた心臓音の音声データを再生する。このようにして、ユーザは、各種医療データのうち、心臓音または呼吸音等の音声データも再生することができる。以上のように、光ディスク２０のＲＥ層には、患者個人の各種医療データが一元化して記録されている。当該光ディスク２０のＲＯＭ層に記録された再生用ソフトを用いることによって、各種医療データのうち、再生したい医療データを適宜再生することができる。なお、光ディスク２０のＲＥ層に記録する再生用ソフトに、例えば、ユーザが画像データを回転させたり、拡大または縮小させたりすることができる機能を付与することによって、医療データをより効果的に活用することができる。例えば、医師が当該医療データを閲覧して患者の病態を診断する時に上記機能を有効活用することができるし、医師が患者に当該医療データを参照して診断内容を説明する時には、上記機能を活用することによって説明しやすくなる。
【００５２】
（記録再生装置１０の記録処理）
続いて、記録用ソフトを用いて光ディスク２０のＲＥ層に新たな情報を記録する処理を具体的に説明する。ユーザは記録用ソフトを介して光ディスク２０のＲＥ層に新たな情報を書き込むことができる。新たな情報とは、上記したような患者個人の医療データである。上述したように、記録再生装置１０は、医療機器Ｉ／Ｆ１６を介して、各種の医療機器１２と接続可能となっている。医療機器１２とは、例えば、Ｘ線撮影機、ＭＲＩ検査機、ＣＴ検査機、心電図測定器、または胃カメラ等である。すなわち、上記した医療データを作成（出力）することが可能な医療機器である。
【００５３】
例えば、ユーザがＭＲＩ検査機で患者のＭＲＩ検査を行い、その検査結果を光ディスク２０に記録しようとしているとする。ユーザが医療機器Ｉ／Ｆ１６にＭＲＩ検査機を接続し、記録用ソフト上で光ディスク２０に新たなデータ（ＭＲＩ画像データ）を記録する操作（指示）を行うと、その指示に基づいて、記録用ソフトが医療機器Ｉ／Ｆ１６を介してＭＲＩ検査機に格納されているＭＲＩ画像データを読み込み、読み込んだＭＲＩ画像データを作業メモリ１４に一時的に記録する。そして、作業メモリ１４に記録したＭＲＩ画像データを、光ディスク２０のＲＥ層において、ファイルシステム上のどこに記録するかを決定する（ユーザが指定した場所に記録しても良い）。決定された光ディスク２０のＲＥ層上の記録先に、作業用メモリ１４からＭＲＩ画像データを転送する。この際、光ディスク２０のＲＥ層に記録するＭＲＩ画像データのデータ形式は、光ディスク２０のＲＯＭ層に記録されたデータの形式と同等のものにして記憶する。
【００５４】
このように、光ディスク２０のＲＥ層に記録するデータの形式を、光ディスク２０のＲＯＭ層に記録されているデータの形式と同等のものにして記録することによって、別の記録再生装置１０でも、光ディスク２０のＲＥ層に記録されている情報を何ら問題なく読み込むことができる。さらに、光ディスク２０のＲＯＭ層に予め記録されているアプリケーションソフト（再生用ソフト、または記録用ソフト）を用いて、ＲＥ層の情報を再生または記録することができるので、記録再生装置１０に別途アプリケーションソフトをインストールする必要がない。すなわち、光ディスク２０に患者個人の医療データと、当該医療データを記録または再生するソフトとが一括して記録されているので、光ディスク２０だけで患者の医療データを管理することができる。これによれば、患者が自身の医療データを記録した光ディスク２０を病院に持参するだけで、患者の医療データを適宜追加記録することができる。よって、患者が複数の病院に掛かっていても、複数の病院で受けた検査の結果等の医療データを光ディスク２０に一元管理することができる。
【００５５】
また、患者が新規の病院で受診したり、新規の病院に転院したりする場合でも、受診先の病院または転院先の病院に光ディスク２０を持参し、当該光ディスク２０の情報を読み取るだけで患者の医療データを容易に閲覧することができる。これによって、患者が新規の病院に掛かることになった場合でも、検査を二重に受ける必要がなくなる。その上、前の病院の医師による診断内容、または処置内容、患者のアレルギー情報、またはそれまでに罹患した病気等の情報を、診断前に閲覧することができるので、診断の効率化が図られ、適切な処置を施すことができ、医療事故を回避することができる。光ディスク２０は軽量であり、可搬性に優れるので、ユーザが持ち歩いても邪魔にならない。
【００５６】
さらに、光ディスク２０内には、異なるＯＳに対応した複数の再生用ソフトおよび記録用ソフトがそれぞれ記録されている。したがって、自身が所有する記録再生装置１０のＯＳに対応したアプリケーションソフトを使用して光ディスク２０の情報を記録および再生することができる。そのため、病院ごとに使用している記録再生装置１０のＯＳが異なっていても、容易に患者の医療データを共有することができる。
【００５７】
なお、以上では光ディスク２０に記録する医療データをユーザが選択して、手動で書き込んでいたが、特にこれに限定されない。例えば、医療機器を記録再生装置１０に接続した時点、または検査・診断等が終了した時点で自動的に光ディスク２０に記録されるような構成にしても良い。
【００５８】
以上では、光ディスク２０内に異なるＯＳに対応した複数のアプリケーションソフトを記録することによって、異なるＯＳの記録再生装置１０に対応させていたが、必ずしもこれに限定されるわけではない。例えば、光ディスク２０のＲＯＭ層にアプリケーションソフトと共にＯＳを予め記録しておいても良い。なお、ＲＯＭ層に記録するアプリケーションソフトは、ＲＯＭ層に記録したＯＳに対応するものを記録しておけば良い。この場合は、光ディスク２０がディスクドライブ部１３に挿入されると、制御部１１が光ディスク２０のＲＯＭ層に予め記録されているＯＳとアプリケーションソフトとを作業用メモリ１４に一時的に記録する。作業用メモリ１４へのＲＯＭ層に予め記録されているＯＳとアプリケーションソフトとの記録が終了すると、制御部１１は作業用メモリ１４に記録したＯＳを起動させる。ＯＳを起動させると、制御部１１はさらに、作業用メモリ１４に記録したアプリケーションを起動させる。
【００５９】
このように、光ディスク２０のＲＯＭ層に予めＯＳを記録しておけば、当該ＯＳを起動した上でアプリケーションソフトを起動することができる。したがって、異なるＯＳに対応した複数のアプリケーションソフトを記録しておき、記録再生装置１０のＯＳに対応したソフトを選択して起動しなくても、光ディスク２０に記録されたＯＳを起動してすぐにアプリケーションソフトを起動させることができる。これによれば、同一のＯＳを使用して光ディスク２０の記録および再生を行うので、病院間において、より統一的な使用環境を実現することが可能となる。また、異なるＯＳに対応した複数のアプリケーションソフトを光ディスク２０に記録する必要がなくなるので、光ディスク２０のＲＯＭ層が占める容量を、より小容量にすることができる。なお、光ディスク２０のＲＯＭ層にＯＳを予め記録しておく場合には、当該ＯＳを作業メモリ１４上に展開するだけで起動可能な小容量のものであることが好ましい。
【００６０】
（再生装置３０の構成）
以上で説明した記録再生装置１０は、光ディスク２０の記録および再生の双方を可能にした装置である。したがって、記録再生装置１０は、主に、医師が患者の医療データを光ディスク２０に書き込んだり、当該光ディスク２０に記録された情報を読み取って診断を行ったりすることを想定している。そこで、患者が自分の家で自分の医療データを閲覧する場合、または病院において患者の医療データを閲覧することを目的とした場合等を想定して、光ディスク２０の再生のみを行う再生装置を使用しても良い。本実施形態に係る再生装置３０の要部構成を図３に示す。再生装置３０は、制御部１１、ディスクドライブ部１３、作業用メモリ１４、不揮発性メモリ１５、画像表示装置１７、および音声再生装置１８を備えている。上述したように、再生装置３０は、ＢＤ（Blu-ray Disc）またはＤＶＤ（Digital Versatile Disc）等の光ディスク２０に対して情報の再生を行う装置である。
【００６１】
再生装置３０において、各部材（制御部１１、ディスクドライブ部１３、作業用メモリ１４、不揮発性メモリ１５、画像表示装置１７、および音声再生装置１８）が有する機能は、記録再生装置１０における上記各部材が有する機能に相当する。
【００６２】
再生装置３０における光ディスク２０の再生処理は、記録再生装置１０における光ディスク２０の再生処理と同等である。まず、光ディスク２０がディスクドライブ部１３に挿入されると、揮発性メモリ１５に記録されたＢＩＯＳによってディスクドライブ部１３が起動される。ディスクドライブ部１３が起動すると、制御部１１が光ディスク２０のＲＯＭ層に予め記録されている情報を読み込み、その情報を作業用メモリ１４に一時的に記録する。具体的には、ＲＯＭ層に予め記録されている再生用ソフトおよび記録用ソフトのうち、再生用ソフトを作業用メモリ１４に記録する。作業用メモリ１４へのＲＯＭ層に予め記録されている再生用ソフトの記録が終了すると、制御部１１は作業用メモリ１４に記録した再生用ソフトを起動させる。この際、上述したように、異なるＯＳに対応した複数の再生用ソフトを光ディスク２０のＲＯＭ層に記録し、ユーザが使用している再生装置３０のＯＳに適合する再生用ソフトを選択して起動する構成にしても良いし、ＲＯＭ層にＯＳを予め記録しておき、当該ＯＳを起動した上で再生用ソフトを起動する構成にしても良い。
【００６３】
さて、制御部１１が再生用ソフトを起動すると、ユーザは再生用ソフトを介して光ディスク２０のＲＥ層に記録されている情報を読み込むことができる。光ディスク２０のＲＥ層から情報を読み込む処理も、記録再生装置１０における当該処理と同様であり、ユーザが再生用ソフト上でＲＥ層に記録されている医療データを再生する操作（指示）を行うと、その指示に基づいて、再生用ソフトが光ディスク２０のＲＥ層から該当する医療データを読み込み、読み込んだ医療データを画像表示装置１７または音声再生装置１８に出力する。画像表示装置１７または音声再生装置１８では、送られてきた医療データを再生する。このようにして、ユーザが再生用ソフト上で操作をすることによって、各種医療データを閲覧することができる。
【００６４】
なお、光ディスク２０に記録された医療データを患者が自分の家で閲覧する場合には、より簡易的な機能を有する再生用ソフトを別途採用しても良い。具体的には、高精細な画像データの解像度を低くして表示したり、３次元画像データの表示を省略したり、あるいは血圧またはコレステロール値等の医師が持つ専門的な知識がなくても理解できるような情報のみを取捨選択して表示したりする再生用ソフトを用意する。簡易表示を行う再生用ソフト、すなわち患者用の再生用ソフトと、医療データを高精細に再生する再生用ソフト、すなわち医者用の再生用ソフトとを光ディスク２０のＲＯＭ層に記録する。そして、患者が自身の医療データを閲覧する際には、患者用の再生用ソフトを選択して起動するような構成にすると良い。あるいは、病院で使用する再生装置３０には、所定の信号を出力するような機能を付与し、当該信号を制御部１１が検知しなかった場合には、患者用の再生用ソフトしか起動しないような構成にすることも可能である。
【００６５】
以上で説明した本実施形態に係る記録再生装置１０および再生装置３０は、医療データを記録または再生する専用の装置である必要はなく、例えば、パーソナルコンピュータ等に本実施形態を適用しても構わない。
【００６６】
本実施形態に係る光ディスク２０には、患者個人の医療データを記録しているため、当該光ディスク２０を紛失した場合に他人に閲覧されることによって不利益を被る可能性が高いとも考えられる。そこで、光ディスク２０が不特定多数の人に閲覧されるのを防ぐために、患者の医療データを暗号化して光ディスク２０に記録しても良い。具体的には、例えば、ＩＣ（Integrated Circuit）付保険証等に暗号鍵を記録しておき、記録再生装置１０に当該ＩＣ付保険証から暗号鍵を読み込む装置を付与し、読み込んだ暗号鍵に基づいて医療データを光ディスク２０に暗号化して記録する構成にしても良い。同様に、再生装置３０にもＩＣ付保険証から暗号鍵を読み込む装置を付与し、読み込んだ暗号鍵に基づいて医療データを光ディスク２０から復号化して再生する構成にしても良い。このようにして、光ディスク２０に患者の医療データを暗号化して記録することによって、患者の個人情報を保護することができる。
【００６７】
（プログラムおよび記録媒体）
最後に、記録再生装置１０または再生装置３０に含まれている各部は、ハードウェアロジックによって構成すれば良い。または、次のように、ＣＰＵを用いてソフトウェアによって実現しても良い。
【００６８】
すなわち、記録再生装置１０または再生装置３０は、各機能を実現するプログラムの命令を実行するＣＰＵ、このプログラムを格納した、上記プログラムを実行可能な形式に展開するＲＡＭ、および上記プログラムと各種データとを格納するメモリ等の記憶装置（記録媒体）を備えている。この構成により、本発明の目的は、所定の記録媒体によっても達成できる。
【００６９】
この記録媒体は、上述した機能を実現するソフトウェアである電力管理アドバイス装置１のプログラムのプログラムコード（実行形式プログラム，中間コードプログラム，ソースプログラム）をコンピュータで読み取り可能に記録していれば良い。記録再生装置１０または再生装置３０に、この記録媒体を供給する。これにより、コンピュータとしての記録再生装置１０または再生装置３０（またはＣＰＵやＭＰＵ）が、供給された記録媒体に記録されているプログラムコードを読み出し、実行すれば良い。
【００７０】
プログラムコードを記録再生装置１０または再生装置３０に供給する記録媒体は、特定の構造または種類のものに限定されない。すなわちこの記録媒体は、例えば、磁気テープまたはカセットテープ等のテープ系、フロッピー（登録商標）ディスク／ハードディスク等の磁気ディスク、またはＣＤ−ＲＯＭ／ＭＯ／ＭＤ／ＤＶＤ／ＢＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系等とすることができる。
【００７１】
また、記録再生装置１０または再生装置３０を通信ネットワークと接続可能に構成しても、本発明の目的を達成できる。この場合、上記のプログラムコードを、通信ネットワークを介して記録再生装置１０または再生装置３０に供給する。この通信ネットワークは記録再生装置１０または再生装置３０にプログラムコードを供給できるものであれば良く、特定の種類または形態に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、または衛星通信網等であれば良い。
【００７２】
この通信ネットワークを構成する伝送媒体も、プログラムコードを伝送可能な任意の媒体であれば良く、特定の構成または種類のものに限定されない。例えば、ＩＥＥＥ１３９４、ＵＳＢ、電力線搬送、ケーブルＴＶ回線、電話線、またはＡＤＳＬ（Asymmetric Digital Subscriber Line）回線等の有線でも、ＩｒＤＡまたはリモコンのような赤外線、Ｂｌｕｅｔｏｏｔｈ（登録商標）、８０２．１１無線、ＨＤＲ、携帯電話網、衛星回線、または地上波デジタル網等の無線でも利用可能である。なお、本発明は上記プログラムコードが電子的な伝送で具現化された、搬送波に埋め込まれたコンピュータデータ信号の形態でも実現され得る。
【００７３】
本発明は、上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００７４】
本発明に係る情報処理装置は、光記録媒体に記録した各種医療データを読み出して再生し、各種医療機器から出力される測定データ、または画像データ等の医療データを取り込み、光記録媒体に記録して、患者個人の医療データを一元化して管理することができる医療システムに適用することができる。
【符号の説明】
【００７５】
１０  記録再生装置
１１  制御部
１２  医療機器
１３  ディスクドライブ部
１４  作業用メモリ
１５  不揮発性メモリ
１６  医療機器Ｉ／Ｆ
１７  画像表示装置
１８  音声再生装置
２０  光ディスク
３０  再生装置
【図１】
2011175484.tif 000003
【図２】
2011175484.tif 000004
【図３】
2011175484.tif 000005